(57)【要約】      （修正有）【課題】冷蔵庫の霜取り中の水蒸気が侵入しても庫内ファンが氷結によるロックを起こさないようにする。【解決手段】除霜完了を、温度センサなどが検知して第１のヒーターへの通電を停止すると、排水皿には、融解したシャーベット状の霜が溜まっており、そのため、水切りタイマは、カウントを開始して第２のヒーターへの通電を開始する。そして、予め設定された時間でタイムアップして第２のヒーターへの通電を停止する。こうすることで、第２のヒーターの加熱により排水皿に溜まったシャーベット状の霜を溶かして再氷結する前に排水路から排水する。庫内ファン遅延タイマは、冷却器が充分冷えるまで庫内ファンの作動を遅らせるためのタイマで、例えば、水切りタイマのタイムアップでカウントを開始し、所定時間（冷却器が充分冷える時間）経過後にタイムアップして庫内ファンの運転を許可する。【選択図】図２
2006322656.tif 000002
【特許請求の範囲】
【請求項１】
冷蔵庫、冷凍庫及び冷凍冷蔵庫内の冷気の吹出口と冷却器間に設けた庫内ファンあるいは吸込口と冷却器間に設けた庫内ファンを、前記冷却器の除霜を開始すると、その除霜期間中に低速で回転させる庫内ファンの制御方法。
【発明の詳細な説明】
【技術分野】
【０００１】
この発明は、冷蔵庫、冷凍庫及び冷凍冷蔵庫の除霜期間中の庫内ファンの制御方法に関するものである。
【背景技術】
【０００２】
冷蔵庫、冷凍庫及び冷凍冷蔵庫の除霜期間中の庫内ファンの制御方法として、例えば、（特許文献１）に記載されたものがある。
【０００３】
この制御方法は、図４のように、除霜運転開始から所要時間経過後に、庫内ファンを一時的に所要時間だけ運転するというものである。
【０００４】
具体的には、除霜運転開始後に、除霜完了を検知してからＴ１の期間が経過した後、圧縮機が運転を再開して除霜用のヒーターへの通電を遮断すると、庫内ファン一時運転タイマがカウントする間Ｔ３、前記庫内ファンを一時的に運転する。こうすることで、除霜運転中に庫内ファンの羽根や羽根が臨む風洞部内に付着した融解水を吹き飛ばし、融解水が冷却運転再開後（図４ではＴ２の圧縮機が作動する期間）に再氷結して庫内ファンが回転不能となる事態を未然に回避しようとするものである。
【特許文献１】特開平８−２８５４４１号公報
【発明の開示】
【発明が解決しようとする課題】
【０００５】
しかしながら、上記の制御方法では、除霜時に庫内ファンの羽根に付着した融解水は取り除けるが、除霜時にファンモータ内部に侵入した水蒸気を取り除くことができない。
【０００６】
すなわち、除霜時には、融けた霜が水蒸気となって、庫内に拡散するとともに、庫内ファンのファンモータの内部にも侵入する。そのため、その内部に侵入した水蒸気が、庫内ファンを一時的に動かした後の停止期間（図４ではＴ２の期間）の運転中に冷却器によって急速に冷却され、モータのステータとロータとが氷結してロックする問題がある。その結果、このように庫内ファンがロックすると、庫内の冷却ができなくなる問題がある。
【０００７】
そこで、この発明の課題は、霜取り中の水蒸気が侵入しても庫内ファンが氷結によるロックを起こさないようにすることである。
【課題を解決するための手段】
【０００８】
上記の課題を解決するため、庫内ファンを除霜期間中に低速で回転させるという方法を採用したのである。
【０００９】
このような方法を採用することにより、モータは、除霜期間中に冷却されても回転させているので氷結を起こさない。また、このとき、モータは低速回転とすることにより、送風量を少なくすることで庫内の温度が上昇しないようにする。
【発明の効果】
【００１０】
この発明は、以上のように構成したことにより、除霜後に冷却運転ができなくなる問題を解決できる。
【発明を実施するための最良の形態】
【００１１】
以下、この発明の最良の形態を図面に基づいて説明する。
【００１２】
この形態の冷蔵庫は、図１に示すように、冷蔵庫内の冷気の吹出口１と冷却器２間に庫内ファン３を設けた構造となっている。
【００１３】
吹出口１は、庫内上方に設けて、その下方に吸込口４を設け、その吹出口１と吸込口４とが連通する冷気の通路５の中に冷却器２を配置した構造となっている。このような構造とすることにより、冷却器２で冷却した冷気を吹出口１から庫内へ吹出し、吹出した冷気は庫内を循環させて吸込口４から吸い込む。そして、その吸い込んだ冷気を再び冷却器２で冷却して吹出口１から吹出して冷却する。
【００１４】
冷却器２は、図示はしていないが、圧縮機と凝縮機とに接続されており、冷凍サイクルを形成するものである。
【００１５】
また、冷却器２には、図１のように、第１と第２の２個の霜取り用のヒーター６、７が設けられている。第１のヒーター６は、冷却器２の側部に沿って設けたもので、冷却器２に直接付着した霜を溶かすためのものである。
【００１６】
一方、第２のヒーター２は、冷却器２の下方に設けたもので、排水皿８の上方に位置するように配置されている。この第２のヒーター７は、霜取り後の排水皿８での再氷結を防止するためのものである。
【００１７】
庫内ファン３は、図示はしていないが、制御回路と接続されており、回転数が制御できるようになっている。そのため、ファンモータも例えば、回転数制御の楽なＤＣモータ等を使用することが好ましい。
【００１８】
また、この冷蔵庫には、水切りタイマと庫内ファン遅延タイマを備えている。水切りタイマは、第２のヒーター７への通電時間を制御するものである。
【００１９】
すなわち、図２に示すように、除霜完了を、例えば温度センサなどが検知して第１のヒーター６への通電を停止すると、排水皿８には、融解したシャーベット状の霜が溜まっており、そのため、水切りタイマは、カウントを開始して第２のヒーター７への通電を開始する。そして、予め設定された時間でタイムアップして第２のヒーター７への通電を停止する。こうすることで、第２のヒーター７の加熱により排水皿に溜まったシャーベット状の霜を溶かして再氷結する前に排水路９から排水する。
【００２０】
庫内ファン遅延タイマは、冷却器２が充分冷えるまで庫内ファン３の作動を遅らせるためのタイマで、例えば、水切りタイマのタイムアップでカウントを開始し、所定時間（冷却器が充分冷える時間）経過後にタイムアップして庫内ファン３の運転を許可する。こうすることで、霜取り後の冷却器２が冷える前の温かい空気が庫内へ侵入するのを防止する。
【００２１】
この形態は、上記のように構成されており、図２に示すタイミングチャートに基づいて本願発明の庫内ファン３の制御方法を説明する。
【００２２】
すなわち、圧縮機が「オフ」になり、第１と第２の霜取りヒーター６、７が「オン」になって除霜期間に入ると、図２の「Ａ」に示すように、除霜運転の終了まで庫内ファン３を低速で連続して回転させるように制御する。ここでは、回転数は、例えば送風量の殆ど無い５０ＲＰＭ程度としてある。このような制御を行うと、庫内ファン３は常に低速で回転しているので、除霜中の水蒸気が内部に入っても除霜中に圧縮機が作動するＴ２の期間になってもロータを氷結する事ができず、庫内ファンは除霜運転終了後に通常回転に戻ることができる。
【００２３】
しかしながら、除霜中の両ヒーター６、７の作動期間に、極めて僅かではあるが温風を庫内へ吹出すことが考えられる。
【００２４】
また、次の方法として、同図の「Ｂ」や「Ｃ」のように水切りタイマが作動した時点あるいは水切りタイマが作動中の時点Ｔ１から除霜運転終了まで、庫内ファン３を低速回転させる制御を行うこともできる。このような制御により、水切りタイマの作動開始時点から庫内ファン３を低速回転させると、図２のように例えば、「Ａ」の場合に比べて第１のヒーター６が停止しているので、庫内へ吹出す温風を少なくできる。
【００２５】
さらに、他の方法として図２の「Ｄ」のように庫内ファン３の遅延タイマの作動時から除霜運転完了時までの期間Ｔ２の期間に庫内ファン３を低速回転させる制御を行うことができる。このような制御を行うと、第１と第２のヒーター６、７がオフになっているので、庫内への温風の吹出しが一番少なくできる。
【００２６】
また、図２の「Ｅ」のように、庫内ファン３の遅延タイマの作動中から除霜運転完了時まで庫内ファン３を低速回転させる制御を行うことができる。このような制御を行うと、図２のように、庫内ファン３を低速回転させる前に、圧縮機が作動して冷却器が冷却を始めているので、氷結を起こす危険はあるが、その前に低速回転させれば、第１と第２のヒーター６、７は停止しているので、最も庫内の温度上昇を起こし難くできる。そのため、例えば、温度センサなどを用いて氷結温度に達する前に回転させるようにすれば、氷結のリスクを回避できる。
【００２７】
このように庫内ファン３を除霜期間中に低速で回転させることにより、庫内ファン３の氷結を回避して除霜終了後に庫内ファンを運転できる。
【００２８】
また、このように除霜期間中に庫内ファン３を回転させるので、除霜運転中の庫内ファン３の羽根や羽根が臨む風洞部内に付着しようとする融解水も吹き飛して羽根の氷結も回避できる。
【００２９】
なお、実施形態では、冷蔵庫について述べたが、同様の構造をもつ冷凍庫や冷凍冷蔵庫にも適用できることは明白である。
【００３０】
また、本願発明の制御方法は、例えば図３のように、吸込口４と冷却器２の間に庫内ファン３を設けた場合にも適用できることは明らかである。
【図面の簡単な説明】
【００３１】
【図１】実施形態の要部の断面図
【図２】実施形態の作用説明図
【図３】実施形態の他の態様を示す断面図
【図４】従来例の作用説明図
【符号の説明】
【００３２】
１  吹出口
２  冷却器
３  庫内ファン
４  吸込口
【図１】
2006322656.tif 000003
【図２】
2006322656.tif 000004
【図３】
2006322656.tif 000005
【図４】
2006322656.tif 000006